(57)【要約】【課題】磁気感応性を有する部分を備えた装飾品等の物品を係止し易くする物品吊り装置を提供する。【解決手段】装置（１０）は、装置を構造物に取付けるための基台部材（１２）と、物品を係止するための係止構造（１４）とを含む。前記係止構造（１４）は前記基台部材（１２）に取り付けられ、磁性部材（１６）は前記基台部材（１２）に結合される。前記磁性部材（１６）の少なくとも一部は、磁性材料を有する。前記磁性材料は、磁気感応性を有する物品の部分をひきつけるために前記磁性部材（１６）上に位置することができ、前記係止構造（１４）に物品を係止し易くするためのものである。【選択図】図１
2004512484.tif 000002
【特許請求の範囲】
【請求項１】
装置を構造物に取付けるための基台部材と、物品を係止するため前記基台部材に取付けた係止構造と、前記基台部材に結合される磁性部材とを備え、その磁性部材の少なくとも一部が前記係止構造に物品を係止し易くするため物品の磁気感応性を有する部分をひきつける磁性材料を該磁性部材上に備えることを特徴とする、磁気感受性部分を有する物品吊り装置。
【請求項２】
前記基台部材および磁性部材は、少なくとも一つの留め具を受けるための少なくとも一つの穴を備えることを特徴とする請求項１記載の装置。
【請求項３】
前記基台部材および磁性部材の前記穴が、仰角度約２０乃至７０度の範囲に応じて前記留め具の受けを導くように位置されることを特徴とする請求項２記載の装置。
【請求項４】
前記磁性材料が、前記磁性部材の外表面上に位置することを特徴とする請求項１記載の装置。
【請求項５】
前記磁性材料が、前記磁性部材の内部に位置することを特徴とする請求項１記載の装置。
【請求項６】
前記磁性部材に、前記磁性材料を受けるための空洞を備えることを特徴とする請求項５記載の装置。
【請求項７】
前記磁性材料が、前記係止構造の最上端の上方に位置することを特徴とする請求項１記載の装置。
【請求項８】
前記磁性材料が、前記磁性部材上に位置することに加え、前記係止構造の内表面上にも位置されることを特徴とする請求項１記載の装置。
【請求項９】
前記磁性部材の全体が、前記磁性材料からなることを特徴とする請求項１記載の装置。
【請求項１０】
前記磁性部材の大部分が、前記磁性材料からなることを特徴とする請求項１記載の装置。
【請求項１１】
磁気感受性を有する部分を備え物品を吊る装置であって、前記装置を構造物に取付けるための前記基台部材と、前記物品を係止するための係止構造を有する前記基台部材と、前記係止構造に前記物品を係止し易くするため、少なくとも一部分は前記物品の磁気感受性を有する部分をひきつけるために前記基台部材上に位置されている磁性材料からなる前記基台部材を備える物品吊り装置。
【請求項１２】
前記基台部材に少なくとも一つの留め具を受けるために、少なくとも一つの穴を備えることを特徴とする請求項１１記載の装置。
【請求項１３】
前記基台部材の穴が、仰角度約２０乃至７０度の範囲に応じて留め具の受けを導くように位置されていることを特徴とする請求項１２記載の装置。
【請求項１４】
前記磁性材料が、前記基台部材の外表面上に位置することを特徴とする請求項１１記載の装置。
【請求項１５】
前記磁性材料が、前記基台部材の内部に位置することを特徴とする請求項１１記載の装置。
【請求項１６】
前記基台部材に、前記磁性材料を受けるための空洞を備えることを特徴とする請求項１５記載の装置。
【請求項１７】
前記磁性材料が、前記係止構造の最上端の上方に位置することを特徴とする請求項１１記載の装置。
【請求項１８】
前記磁性材料が、前記係止構造の内表面上に位置することを特徴とする請求項１１記載の装置。
【請求項１９】
前記磁性材料が、前記基台部材の他のいかなる部分でもなく、前記係止構造の内表面上に位置することを特徴とする請求項１１記載の装置。
【発明の詳細な説明】
【０００１】
技術分野
本発明は、一般に物品を支持するための装置、特に装飾品を支持するための吊り装置に関する。
【０００２】
背景技術
多くの異なる型の吊り装置が、装飾品などの物品を吊るすために使用されてきた。例えば、多くの吊り装置は壁に固定できる基台および基台に取付けられた鉤部分を含む。鉤部分は絵画、写真、鏡または他の美術作品のような多くの装飾品を支持するために使用できる。これらの装飾品は、一般にはその装飾品の対向した端部に取付けられその背部に伸びる金属線又はループ部などの吊るす部品を含む。装飾品を支持するために、吊るす部品は鉤部分の上部に置かれ、そして鉤部分が係止するか、または吊るす部品を捕らえるまで下げられる。
【０００３】
しかし、鉤部分に吊るす部品を係止する過程は困難で、時間がかかる。例えば、ほとんどの場合、吊るす部品は装飾品の上端より上にあがらなく、そして物品を掛けようとする人は、鉤部分や吊るす部品を目視できない。その上、吊るす部品の多くは曲がったり動いたりするので、さらに吊るす部品を鉤部分に固定させる試みを煩わしくしている。したがって、煩わしさまたは費用を著しく増加させることなく、物品を吊るす過程を簡略化する吊るす装置が必要とされている。
【０００４】
発明の要約
本発明は、磁気感応性を有する部分を備えた物品の吊り装置に関する。その物品吊り装置は、装置を構造物に取付けるための基台部材と、その基台部材に取付けられ物品を係止するための係止構造と、少なくとも一部分が磁性材料を含み前記基台部材に結合した磁性部材とからなる。その磁性材料は、その係止構造に物品を係止し易くするため、物品の磁気感応性を有する部分をひきつけるために前記磁性部材の上に位置される。前記係止構造は、絵画、写真、鏡またはその他の美術作品などの多くの装飾品を支持するために使用できる。一実施形態として、前記基台部材および前記磁性部材は、一つ以上の留め具を受けるために、それぞれ少なくとも一つの穴を備えてもよい。加えて、前記基台部材および前記磁気感応性を有する部分の穴は、仰角度約２０乃至７０度の範囲に応じて留め具の受けを導くように位置されてもよい。
【０００５】
一実施形態として、前記磁性材料は、前記磁性部材の外表面上に位置してもよいが、前記磁性部材の内部に位置してもよい。前記磁性材料が、前記磁性部材の内部に位置される場合は、さらにその磁性部材は前記磁性材料を受ける空洞を備えてもよい。
【０００６】
他の実施形態として、前記磁性材料は、非磁性の前記係止構造の最上端部にある自由端に位置されてもよい。或いはさらに他の実施形態として、前記磁性材料は、前記磁性部材上に位置されることに加え、前記係止構造の内表面に位置されてもよい。
【０００７】
本発明の他の実施形態として、前記装置は、前記装置を構造物へ取付けると共に物品を係止する係止構造を有する基台部材を備え、その基台部材の少なくとも一部に、物品を前記係止構造へ係止し易くするため、磁気感応性を有する物品の部分をひき付けるために当該基台部材上に配置した磁性材料を備える。前記係止構造は、絵画、写真、鏡または他の美術作品などの多くの装飾品を支持するために用いてもよい。一実施形態として、前記基台部材は少なくとも一つの留め具を受けるための、少なくとも一つの穴を備えてもよい。加えて、前記基台部材の前記穴は、仰角度約２０乃至７０度の範囲に応じて前記留め具の受けを導くように位置されてもよい。
【０００８】
一実施形態として、前記磁性材料は、前記基台部材の外表面上に位置してもよいが、その基台部材の内部に位置してもよい。前記磁性材料を、前記基台部材の内部に位置する場合、その基台部材は、さらに前記磁性材料を受ける空洞を備えてもよい。他の実施形態として、前記磁性材料は、前記係止構造の最上端上に位置されてもよい。さらにまた他の実施形態として、前記磁性材料は、前記係止構造の内表面上に位置してもよい。また、前記磁性材料は、前記基台部材の他のいかなる部分でもなく、前記係止構造の内表面上に位置されてもよい。
【０００９】
好適な実施形態の詳細な説明
図１は、一部分が磁気感応性を有する物品（図示せず）を吊るすための装置１０を説明する。前記装置１０は、基台部材１２および磁性部材１６を含んでいる。前記基台部材１２は、前記装置１０を壁のような構造物へ取付けるために使用できる。加えて、前記基台部材１２は、物品を係止するために使用できる、係止構造１４を含んでいる。前記磁性部材１６は、前記基台部材１２に結合され、前記磁性部材１６の少なくとも一部分は磁性材料（図示せず）を備えている。一実施形態として、前記磁性部材１６は、前記基台部材１２を受けるための穴（図示せず）を備えてもよい。前記磁性材料は、前記係止構造１４に磁性部材を係止し易くするため、物品の磁気に応動する磁気感受性を有する部分をひきつけるために、前記磁性部材１６上に位置する。
【００１０】
一実施形態として、前記基台部材１２および前記磁性部材１６は、少なくとも一つの留め具２０を受けるための、少なくとも一つの穴１８を含んでいる。前記留め具２０は、壁のような構造物へ前記装置１０を取付ける目的で用いられる。適切な留め具２０が、用いられてもよいことに気づくべきである。加えて、穴１８は仰角度約２０乃至７０度の範囲に応じて留め具２０の受けを導くように位置される。しかしながら、本発明は、穴１８は他のいかなる適切な場所に位置されてもよいというように、上記の特定の実施形態に限定されない。
【００１１】
前記磁性部材１６は、全体または大部分が磁性材料からなる。加えて、磁性材料は、前記磁性部材１６の適当な位置に設けられている。例えば、前記磁性材料は、前記磁性部材１６の外表面２１上に直接位置されていてもよいが、前記磁性部材１６の内部に位置されていてもよい。前記磁性部材１６は、破線により示された空洞２２を含んでいる。前記空洞２２は、使用者が空洞２２に適量の磁性材料を取付けることができる開口部２３を含んでいてもよい。図１は前記基台部材１２に面した前記磁性部材１６の横側に位置されている前記開口部２３を示しているが、本発明はそのようには限定されない。明確には、前記開口部２３は、前記磁性部材１６上の他の任意の適切な位置であってもよい。さらに、その製造過程において前記磁性材料が前記空洞２２に入れられる場合は、前記空洞２２は前記開口部２３を備える必要はない。前記磁性材料が、どこ（外表面または前記磁性部材１６の内部）に位置されようとも、前記磁性材料は前記係止構造１４の最上端の上方に位置されるので、物品の金属線又はループ部がひきつけられた後、下方に摺動して係合し易くなっている。加えて、前記磁性材料は、磁気感受性を有する物品の部分をひきつけることが可能な材料であるべきである。
【００１２】
前記係止構造１４は、物品を支持することが可能な任意の型の構造である。例えば、前記係止構造１４は、図１に示されるような留め具であってもよい。一実施形態として、前記係止構造１４の少なくとも一部分は、一度前記係止構造１４が受けた前記物品が、前記係止構造１４から滑り落ちるのを防ぐために、前記基台部材１２から上方へまたは前記基台部材１２とほぼ平行方向で上方へ伸びている。他の実施形態として、前記係止構造１４は内表面２４を含んでいる。特定の本実施形態では、物品の磁気感応性を有する部分の適切な磁力を確保するように、前記磁性材料が、前記係止構造１４の前記内表面２４上に位置されている。
【００１３】
図２は、図１の前記装置１０の他の実施形態を示す。図に示すように、基台部材２６は、係止構造２８を備える一つの型で作られた部分品であってもよい。加えて、磁性材料は、前記係止構造２８に物品を係止し易くするため、物品の磁気感受性を有する部分をひきつける前記基台部材２６上に位置されてもよい。前記基台部材２６は、少なくとも一つの留め具（図示せず）を受けるための少なくとも一つの穴３０を含んでもよい。図１の前記装置１０と同様に、前記穴３０は、仰角度約２０乃至７０度の範囲に応じて留め具２０の受けを導くように位置されてもよい。しかしながら、本発明は、前記穴３０がいかなる他の適切な角度で、留め具の受けを導くように位置されてもよいというように、この点で限定されないことに気付くべきである。
【００１４】
引き続き図２ついて、前記磁性材料は、前記基台部材２６上の適切な位置に設けられてもよい。例えば、前記磁性材料は、前記基台部材２６の外表面３２上に直接位置してもよいが、前記基台部材２６の内部に位置してもよい。図３について、特定の本実施形態では、前記基台部材２６は破線により表された空洞３４および前記基台部材２６の内部に前記磁性材料を格納することが望まれる前記磁性材料を受けるための開口部（図示せず）を備えてもよい。さらに、前記開口部は前記基台部材２６の適当な位置に設けられるか、または製造過程で前記磁性材料が前記基台部材２６の内部に位置され、それにより開口部の必要性が除去される。さらに他の実施例として、前記磁性材料は、前記係止構造２８の最上端の上方に位置されてもよいように、前記基台部材２６の特定の部分に位置されてもよい。図１の前記装置１０と同様に、前記磁性材料は、物品の磁気感応性を有する部分をひきつけることができる材料からなる。
【００１５】
前記係止構造２８は、留め具のように物品を支持することができる構造をしていてもよい。前記係止構造２８の少なくとも一の部分は、一度前記係止構造２８が受けた物品が、前記係止構造２８から滑り落ちるのを防ぐために、前記基台部材２６から上方へまたは前記基台部材２６とほぼ平行方向で上方へ伸びてもよい。図２および図３で示すように、前記係止構造２８は内表面３６を含んでもよい。特定の本実施形態では、前記磁性材料が前記基台部材２６の他の部分に設けられた場合、物品の磁気感応性を有する部分の適切な磁力を確保するように、前記磁性材料が、係止構造２８の内表面３６上に位置されてもよい。他の実施形態では、前記磁性材料は、前記基台部材２６の他のいかなる部分でもなく、内表面３６上に位置されてもよい。
【００１６】
図４は、本発明の他の実施形態を示す。特定の本実施形態は、比較的大きな美術品を展示する美術館で有用であるかもしれない。図示するように、前記装置１０は、前記係止構造４０および適合構造４２を含んでもよい前記基台部材３８を含んでもよい。前記適合構造４２は、装飾品を支持するために設計された薄い板や他の同類の構造物のような構造を係止するために用いられる。上述の実施形態と同様に、前記磁性材料は、前記基台部材３８の外表面４４や内部のような任意の適切な位置に設けられてもよい。加えて、前記磁性材料は、前記係止構造４０の最上端上に位置されそして前記係止構造４０上に位置されてもよいが、前記基台部材３８の他のいかなる部分でもなく前記係止構造４０の最上端上に位置されてもよい。
【００１７】
ここで記載された実施例および実施形態は、解説目的のために過ぎず、種々の変形または変更は、技術に精通した者に照らして明白であり、本願の精神および範囲内に含まれる。さらに、本発明は、その精神と本質的な特性から逸脱することなく、他の特定の実施形態をとってもよい。
【図面の簡単な説明】
【図１】
図１は、本発明の一実施形態の物品吊り装置の斜視図である。
【図２】
図２は、本発明の一実施形態の物品吊り装置の斜視図である。
【図３】
図３は、磁性材料を受けるための空洞を備える物品吊り装置の斜視図である。
【図４】
図４は、本発明の一実施形態の物品吊り装置の斜視図である。
【符号の説明】
１０　　　　　装置
１２，２６，３８　基台部材
１４，２８，４０　係止構造
１６　　　　　磁性部材
１８，３０　　　穴
２０　　　　　留め具
２１，３２，４４　外表面
２２　　　　　空洞
２４，３６　　　内表面
【国際公開パンフレット】
2004512484.tif 000003
2004512484.tif 000004
2004512484.tif 000005
2004512484.tif 000006
2004512484.tif 000007
2004512484.tif 000008
2004512484.tif 000009
2004512484.tif 000010
2004512484.tif 000011
2004512484.tif 000012
2004512484.tif 000013
2004512484.tif 000014
2004512484.tif 000015
2004512484.tif 000016
2004512484.tif 000017
2004512484.tif 000018
2004512484.tif 000019
2004512484.tif 000020
【国際公開パンフレット（コレクトバージョン）】
2004512484.tif 000021
2004512484.tif 000022
【国際調査報告】
2004512484.tif 000023
2004512484.tif 000024